(57)【要約】【課題】カウンターの前側に強度を確保できる程度の所定の厚みを有すると共に把持し易くした。【解決手段】カウンター１は、浴室の第１壁面に固定したブラケットに着脱可能に装着した。カウンター１は天板８と底板９を嵌合して形成した。天板８の載置面８ａの背面側に略直線状の奥側縁部１６を形成し、これに対向する前側縁部１５を略Ｓ字状に湾曲形成した。天板８の裏面側の底板９に前側縁部１５に対向して下方に突出する凸曲部９ａを長手方向全長に亘って略Ｓ字状に形成した。凸曲部９ａは、長手方向に直交する断面視で前面側に凸曲面が形成され、背面側に凹曲面が形成された。【選択図】図５
2018051121.tif 000002
【特許請求の範囲】
【請求項１】
浴室の壁面に着脱可能に装着したカウンターであって、
前記カウンターの裏面側に下方に突出する凸曲部を設けたことを特徴とするカウンター。
【請求項２】
前記凸曲部は前記カウンターの前側縁部に対向して設けられている請求項１に記載されたカウンター。
【請求項３】
前記凸曲部は前記カウンターの前側縁部の長手方向に沿って全長に亘って形成されている請求項１または２に記載されたカウンター。
【請求項４】
前記凸曲部は、長手方向に直交する断面視で前面側に凸曲面が形成され、背面側に凹曲面が形成されている請求項１から３のいずれか１項に記載されたカウンター。
【請求項５】
前記カウンターに設けた前記前側縁部は前記カウンターの裏面に対向する表面から隆起する段差を介して接続されている請求項２または３に記載されたカウンター。
【発明の詳細な説明】
【技術分野】
【０００１】
本発明は、例えば浴室等の壁面に取り付けられるカウンターに関する。
【背景技術】
【０００２】
従来、浴室内の壁面には、表面に石鹸やシャンプー等の小物を置いたり入浴者が載置したりするためのカウンターが取り付けられていることが多い。特許文献１に記載されたカウンターは浴室に取り付けられたカウンターに入浴者が着座可能としている。
【０００３】
このカウンターの洗い場に臨む前端部を、壁面に固定された後端部よりも厚みを薄く設定した把持部として形成している。そして、カウンターに着座した入浴者が把持部を把持して立ち上がったり横移動したりし易いようにしている。
また、カウンターの前端部の裏面側に凹部を形成することで、前端部を凸曲状に形成して把持しやすくした構成も開示されている。
【先行技術文献】
【特許文献】
【０００４】
【特許文献１】特開２００８−１３６６７４号公報
【発明の概要】
【発明が解決しようとする課題】
【０００５】
しかしながら、特許文献１に記載されたカウンターでは前端部の厚みを小さくしたり、前端部の裏面側に凹部を形成して前端部を凸曲状に丸めて把持し易くすると、カウンターの前端部側の強度が低下し、シャワーヘッドが当たる等した際に損傷し易いという欠点があった。
また、前端部の厚みを小さくすると石鹸や水などが付着した際に滑り易く持ちにくかった。しかも、カウンターが壁面に対して着脱可能であると、前端部を把持して着脱操作する際に厚みが小さいために把持するのに大きな握力を必要とし、持ちにくいという欠点があった。
【０００６】
本発明は、このような課題に鑑みてなされたものであって、前側に強度を確保できる程度の所定の厚みを有すると共に把持し易い着脱可能なカウンターを提供することを目的とする。
【課題を解決するための手段】
【０００７】
本発明によるカウンターは、浴室の壁面に着脱可能に装着したカウンターであって、カウンターの裏面側に下方に突出する凸曲部を設けたことを特徴とする。
本発明によれば、カウンターの裏面側に凸曲部を設けたため、浴室の壁面に装着した状態で凸曲部は目立たず、しかも、カウンターを着脱操作する際に裏面側の凸曲部を利用してスライドさせたり持ち上げたりすることが容易であり、近くに浴室の他の壁面や浴槽等があったとしてもカウンターの両側部を持たずに操作できるため操作が容易である。また、カウンターの前側部分の厚みを小さくすることなく凸曲部を下方に突出して形成したためカウンターの前側部分の強度を確保できる。
【０００８】
また、凸曲部はカウンターの前側縁部に対向して設けられていることが好ましい。
カウンターの裏面に設けた凸曲部が前側縁部に対向しているために、持ちやすく着脱操作を一層し易い上に前側縁部の強度を向上できる。
【０００９】
また、凸曲部はカウンターの前側縁部の長手方向に沿って全長に亘って形成されていてもよい。
カウンターの裏面に設けた凸曲部が前側縁部の長手方向全長に設けられているために、どこでも持ちやすく、着脱操作を一層し易い上に前側縁部の強度を向上できる。
【００１０】
また、凸曲部は、長手方向に直交する断面視で前面側に凸曲面が形成され、背面側に凹曲面が形成されていることが好ましい。
凸曲部の前面側が凸曲面で背面側が凹曲面であるため、例えば操作者の手の親指を前面側にあてて他の四本の指を凹曲面にあてることで凸曲部を把持し易く滑りにくくなり、カウンターの着脱操作が容易になる。
【００１１】
また、カウンターに設けた前側縁部は、カウンターの裏面に対向する表面から隆起する段差を介して接続されていてもよい。
この場合、カウンターの表面から段差を介して前側縁部に隆起しているため、前側縁部と裏面側の凸曲部とを手などで掴み易い。
【発明の効果】
【００１２】
本発明に係るカウンターによれば、裏面側に凸曲部を設けたため、カウンターを着脱操作する際に凸曲部を利用してスライドさせたり持ち上げたりすることが容易である。また、カウンターの前側部分の厚みを小さくすることがないためカウンターの前側部分の強度を確保できる。しかも、カウンターを浴室の壁面に装着した状態で凸曲部は目立たず美観を損ねない。
【図面の簡単な説明】
【００１３】
【図１】本発明の第一実施形態による浴室の要部斜視図である。
【図２】浴室の壁面に取り付けられたカウンターとブラケットの斜視図である。
【図３】図２に示すカウンターとブラケットの正面図である。
【図４】カウンターの取り付け工程を示す部分説明図であり、（ａ）はブラケットに取り付けた状態の図、（ｂ）はスライドさせてブラケットに固定した状態の図である。
【図５】カウンターを示す図であり、（ａ）は平面図、（ｂ）は裏面図である。
【図６】カウンターの側面図である。
【図７】図３に示すカウンターとブラケットの嵌合状態を示すＡ−Ａ線断面図である。
【図８】図７におけるカウンターの天板と底板の嵌合構造を示すものであり、（ａ）はＢ部拡大図、（ｂ）はＣ部拡大図である。
【図９】ブラケットの斜視図である。
【図１０】カウンターとブラケットの嵌合構造を示す背面側斜視図である。
【図１１】図７におけるカウンターとブラケットの嵌合状態を示す拡大断面図であり、（ａ）は嵌合前の係り始め位置の図、（ｂ）は嵌合状態の図である。
【図１２】変形例によるカウンターとブラケットの嵌合状態を示す拡大断面図である。
【図１３】本発明の変形例によるカウンターの裏面図を示すものであり、（ａ）は第一変形例を示す図、（ｂ）は第二変形例を示す図である。
【発明を実施するための形態】
【００１４】
以下、本発明の実施形態によるカウンター１を添付図面によって説明する。
図１乃至図１１は第一実施形態による浴室Ｓのカウンター１を示している。図１に示す浴室Ｓは底面に床パネルからなる洗い場２と浴槽３を設置し、底面を囲う四面の側壁において、正面の第１壁面４とその両側側壁をなす第２壁面５、第３壁面６とを備え、第１壁面４に対向する開口を有する第４壁面の図示は省略されている。側壁の上部に図示しない天井パネルを備えている。
浴室Ｓの正面の第１壁面４には浴槽３に隣接してカウンター１が着脱可能に設置されている。カウンター１の上部にはシャワー１０が設置され、シャワー１０のホース取付部には湯量と湯の温度を調整するハンドル等が取り付けられている。
【００１５】
図２乃至図４において、第１壁面４には１または複数のブラケット７が同一高さで所定間隔に設置され、このブラケット７の上部にカウンター１が着脱可能に装着されている。カウンター１は表面に載置面８ａを備えた天板８とカウンター１を把持して持ち上げ可能な凸曲部９ａを裏面に設けた底板９とが互いに嵌合されて接着などで一体化されている。天板８の載置面８ａ上には、例えば石鹸やかみそり、洗面器等の物品を載置可能とされている。
天板８と底板９は例えばそれぞれ凹陥部形状を有しており、互いに対向させて嵌合した状態で内部に中空部を有する。また、天板８と底板９はその一方を凹陥部形状とし、他方を略平板の蓋状に形成してもよく、いずれにしても嵌合状態で中空部を有していることが好ましい。或いは、天板８と底板９の両方を略板状に形成してもよい。
【００１６】
カウンター１は、例えば正面の第１壁面４に直交する第２壁面５と浴槽３のエプロン３ａとの間に配置されている。第２壁面５には着脱時のカウンター１の側部を受ける例えば一対のステー部１１が設置されている(図２、図４参照)。
カウンター１は第１壁面４に所定間隔で固定された複数、例えば３基のブラケット７上に支持されている。カウンター１の一方の側部は浴槽３のエプロン３ａに設けた受け部(図示せず)に当接させられ、他方の側部は図４に示すように第２壁面５に設けたステー部１１との間にわずかな間隙が形成されている。図４（ｂ）において、ステー部１１上の間隙にロックスペーサ１３を嵌合することでカウンター１は位置決め保持される。
【００１７】
次にカウンター１の構造について説明する。
図２〜図８に示すように、カウンター１は天板８と底板９とが互いに嵌合して形成されている。天板８は物品を載置可能な載置面８ａが第１壁面４側から洗い場２に臨む前側縁部１５に向けて緩い水勾配を有する略水平面を形成している。
天板８の載置面８ａは、図１及び図５に示すように、上面から見て第１壁面４側の奥側縁部１６が第１壁面４に沿って直線状に延び、奥側縁部１６に対向する前側縁部１５が略Ｓ字状を描くように湾曲して形成され、奥行き方向の幅が長手方向に沿って曲線状に変化している。カウンター１の両側部の側部縁部１７ａ、１７ｂは例えば平行な直線状に形成されている。
【００１８】
図５に示す例では、カウンター１は第２壁面５側の部分が幅広に形成されて物品等の載置面積を確保し、浴槽３側に向かう部分が次第に幅が小さくなる幅狭部に形成され、入浴者の浴槽３からの出入り空間を大きくしている。また、シャワー１０に近づき易くなるため全身シャワーを行いやすい。図２及び図５において、天板８の載置面８ａの幅広部には、奥側縁部１６側から前側縁部１５に向けて次第に幅広になるガイド溝１２が形成されている。このガイド溝１２によって、幅広の部分に付着する湯や水を流し易く、しかも手で把持する際にガイド溝１２に手を引っ掛けて持ちやすく滑りにくい上にデザイン性が高い。
天板８は、載置面８ａの周縁部に載置面８ａに対して凸曲面を形成して略垂直に落ち込んで形成された前側縁部１５と奥側縁部１６と側部縁部１７ａ、１７ｂとが設けられている。
【００１９】
図５及び図６に示すように、天板８の裏面に形成された底板９はその前側縁部１５に沿って凸曲部９ａが裏面に形成されている。凸曲部９ａは前側縁部１５に沿ってＳ字状に湾曲して形成されており、全長に亘って同一高さであることが好ましい。図６及び図７に示すように、凸曲部９ａはその前面側が断面凸曲線状をなす凸曲面９ｂに形成され、背面側は断面凹曲線状をなす凹曲面９ｃに形成されている。しかも凹曲面９ｃは急峻に立ち上がっている。
そのため、凸曲部９ａは手のひらと親指で前側縁部１５及び凸曲面９ｂを他の４本指で凹曲面９ｃを把持し易く力を加えやすくなる。例えばカウンター１をブラケット７から外す際に凸曲部９ａを掴み易い。また、図７及び図８（ａ）において、カウンター１の天板８には平坦な載置面８ａから前側縁部１５に向けて隆起する段差８ｂが形成されている。そのため、表面の前側縁部１５の段差８ｂに親指が引っかかり、裏面の凸曲部９ａをより手で掴み易くなる。しかも、段差８ｂは載置面８ａに洗面器等を置いた際に、落下防止の機能を発揮できる。このようにカウンター１の凸曲部９ａや、凸曲部９ａ及び前側縁部１５を使って手で把持して持つことができる。これ以外のカウンター１の掴み方として、凸曲部９ａは、手の親指で凸曲面９ｂを、他の４本指で凹曲面９ｃを把持することもできる。
【００２０】
図７及び図１１に示すカウンター１の断面図において、カウンター１の奥側(後方側)である第１壁面４側に形成された天板８の奥側縁部１６は、載置面８ａから上方に隆起して湾曲し、下方の背面部１６ｃに垂下させる凸曲面形状を有している。奥側縁部１６の下端部には段差部１６ａを介して前側に係合部１４が下方に突出して形成されており、係合部１４は後述するブラケット７の第二係止溝２８に嵌合可能とされている。奥側縁部１６の下方に設けた底板９では、下方に突出する突起部１８が形成されている。図に示す例では、底板９の裏面は前面側の凸曲部９ａから凹曲面状に上方に湾曲して後方側の突起部１８で凸曲部９ａよりも下方に突出している。
図６に示すように、突起部１８の背面側にはカウンター１をブラケット７に係合するためのロック片１９が突出して形成されている。ロック片１９は例えば断面略逆Ｕ字状の突出部材であり、第１壁面４へのブラケット７の固定位置に対応して所定間隔で複数、例えば３個設置されている。
【００２１】
図７に示す天板８の下面側には、前側縁部１５及び側部縁部１７ａ、１７ｂの外周面内側と奥側縁部１６の内側で下方に延びる外周面２４の内側に全周に亘って例えば階段状の第一段付き部２０が形成されている。この第一段付き部２０に底板９の上側に設けた外周面部２１が全周に亘って嵌合しており、外周面部２１の上端部の全周に亘って第一段付き部２０に嵌合する例えば階段状の第二段付き部２２が形成されている。
図８（ａ）、（ｂ）は図７のＢ部、Ｃ部の拡大図である。底板９の外周面部２１は天板８の前側縁部１５と奥側縁部１６の外周面２４と側部縁部１７ａ、１７ｂの内側に嵌合され、しかも天板８の第一段付き部２０と底板９の第二段付き部２２とが接着剤２３によって全周に亘って接着されている。或いは、第一段付き部２０と第二段付き部２２は接着剤に代えてパッキン等のシール部材を介して全周に亘って水密にシールされて嵌合されていてもよい。
【００２２】
次にカウンター１とブラケット７との嵌合構造について図９及び図１０に沿って説明する。
図９は浴室Ｓの第１壁面４にねじ等で固定されるブラケット７であり、ブラケット７は側面視略Ｌ字状に形成されている。ブラケット７は上下に延びるブラケット本体７ａの下端部にカウンター１の底板９に形成された突起部１８を受ける第一係止溝２５が断面略Ｕ字状に形成されている。第一係止溝２５はカウンター１の突起部１８が当接する溝底がその長手方向に沿って上方に向けて凸曲面状に形成されていることが好ましい。
【００２３】
図９及び図１０において、ブラケット本体７ａの高さ方向中間部にはカウンター１の背面のロック片１９と係合可能な係止受け部２６が突出して形成されている。係止受け部２６はカウンター１の設置位置に応じて左右両側から係合可能とされ、その中央にストッパー部２６ａが下方に突出している。そのため、ブラケット７に対してカウンター１を左右いずれかの方向からスライドさせて係合する際、ロック片１９がブラケット本体７ａの係止受け部２６に沿って圧接して進入し、所定位置でストッパー部２６ａに当接して停止することになる。
【００２４】
ブラケット本体７ａの上部には嵌め込み部材２７が装着または固定されており、嵌め込み部材２７の上端部には係止部として第二係止溝２８が形成されている。この第二係止溝２８にはカウンター１の天板８の奥側縁部１６の下方に形成された係合部１４が嵌合可能とされている。第二係止溝２８においても、その溝底の長手方向に沿って凸曲面が形成されていることが好ましい。
図１０に示すように、所定間隔で設置された複数のブラケット７の上下に設けた第一係止溝２５と第二係止溝２８に対して、カウンター１の突起部１８と係合部１４がスライドするように直線状に連続してそれぞれ形成されている。これに対して、カウンター１の背面に設けたロック片１９はブラケット７に対応して複数個形成され、スライドするカウンター１はロック片１９がブラケット７の係止受け部２６に圧接されてストッパー部２６ａに当接することで位置決めされる。
【００２５】
次に、図１１に示すカウンター１の係合部１４と第１壁面４に固定したブラケット７の第二係止溝２８との嵌合構造において、同図（ａ）はカウンター１の係合部１４が第二係止溝２８の入口である係り始めの位置にある状態を示し、（ｂ）は係合部１４と第二係止溝２８の嵌合状態を示している。ブラケット７の第二係止溝２８の第１壁面４側に当接受け部２７ａが上方に突出して形成され、カウンター１の奥側縁部１６の外側の背面部１６ｃには、係合部１４の上部に当接受け部２７ａに対向する段差部１６ａが形成されている。
ブラケット７の嵌め込み部材２７は第二係止溝２８の内側に略凸曲面状の隆起部２７ｂを備えており、カウンター１の係合部１４を第二係止溝２８に嵌合する際に、係合部１４が隆起部２７ｂを乗り越えて第二係止溝２８の入口である係り始め部に誘導される。
【００２６】
本実施形態では、奥側縁部１６の背面部１６ｃは段差部１６ａと交差する角部の当接部１６ｂが最も第１壁面４側に突出している。そのため、カウンター１の係合部１４をブラケット７の第二係止溝２８に装着する際、当接部１６ｂが第１壁面４に接触して擦過する可能性がある。しかも、カウンター１とブラケット７は例えば合成樹脂で製造されており、射出成形時に上下の金型のずれによってパーティングラインが生じることがある。
この場合、パーティングラインは例えば奥側縁部１６の背面部１６ｃと段差部１６ａとの角部である当接部１６ｂに生じ易い。パーティングラインがなくても、カウンター１の反りや変形等によって当接部１６ｂが第１壁面４側に最も突出していることがある。
【００２７】
当接部１６ｂが第１壁面４を擦過すると傷が第１壁面４に生じてしまい、入浴者等が目視できると外観上の見栄えが悪いという問題が生じる。一方、当接部１６ｂのスライドによって第１壁面４に傷がついても、カウンター１の奥側縁部１６の背面側に隠れる場合には入浴者等は傷を目視できない。
本実施形態によるカウンター１の取付構造では、図１１（ａ）において、カウンター１の係合部１４の先端がブラケット７の第二係止溝２８に係り始める当接受け部２７ａの上端入口にある点を基準として、当接部１６ｂが降下して第二係止溝２８に嵌合する（図１１（ｂ）の位置）までの距離をカウンター１のスライド距離Ｌとする。また、奥側縁部１６の当接部１６ｂから頂部までの高さをＭとする。スライド距離Ｌが高さＭより大きい場合には第１壁面４に生じた当接部１６ｂの傷を目視可能であるが、スライド距離Ｌが高さＭより小さい場合には第１壁面４に生じた傷はカウンター１の奥側縁部１６に隠れて見えない。
【００２８】
そのため、本実施形態では、カウンター１について、
当接部１６ｂからの高さＭ>スライド距離Ｌ    …（１）
に設定した。なお、当接部１６ｂのスライドの始点をブラケット７の当接受け部２７ａより高い位置または低い位置にとったとしてもスライド距離Ｌが変化するので同様の結果を生じるが、スライド距離Ｌが長くなるとカウンター１の当接部１６ｂから頂部までの高さＭを超えてしまうので第１壁面４上の傷を隠しきれなくなる欠点が生じる。
なお、本実施形態においては、図７に示すようにカウンター１の突起部１８がブラケット７の第一係止溝２５に着座した状態で奥側縁部１６の係合部１４と段差部１６ａは第二係止溝２８と当接受け部２７ａに対して所定の間隙が形成されているが、当接していてもよい。
【００２９】
本実施形態による浴室Ｓのカウンター１は上述した構成を備えており、次に第１壁面４へのカウンター１の取り付け方法について説明する。
先ず、作業者は、浴室Ｓの第１壁面４に複数のブラケット７をねじ等で所定間隔に平行に固定する。カウンター１の裏面の凸曲部９ａを把持して第２壁面５側に寄せて第１壁面４側に押し込んだ後に下方にスライドする。この時、作業者はカウンター１の側部縁部１７ａ，１７ｂを保持しないため、カウンター１を第２壁面５側に寄せても作業の邪魔にならない。
そして、図１１（ａ）に示すように、奥側縁部１６の係合部１４は嵌め込み部材２７の隆起部２７ｂを乗り越えて第二係止溝２８の入口である係り始めに至る。次いで、図７に示すようにカウンター１の奥側縁部１６の下方に設けた突起部１８を各ブラケット７の第一係止溝２５に嵌合すると共に奥側縁部１６の係合部１４を第二係止溝２８に嵌合させる。なお、このとき、奥側縁部１６の当接部１６ｂが第１壁面４に接触し擦過して傷つける可能性があるが、この点については後述する。
【００３０】
この状態で、図４（ａ）に示すように、カウンター１は右端部が第２壁面５に固定したステー部１１に着座しており、ブラケット７上の正規の固定位置からずれている。しかも、カウンター１の背面に設けたロック片１９はブラケット７の係止受け部２６から外れている。
そして、凸曲部９ａを把持しながらカウンター１を浴槽３側にスライドさせると、凸曲部９ａは略Ｓ字状に湾曲しているためカウンター１を浴槽３側にスライドさせ易い。図１０に示すように、カウンター１は下端部の突起部１８がブラケット７の第一係止溝２５に沿ってスライドし、上端部の奥側縁部１６の係合部１４が第二係止溝２８に沿って水平方向にスライドする。カウンター１の背面に設けたロック片１９もスライドして、ブラケット本体７ａの係止受け部２６の下側に挿入されて互いに当接される。
【００３１】
しかも、第一係止溝２５と第二係止溝２８の溝底を凸曲面形状に形成したことで、凸曲部９ａを把持してカウンター１をスライドさせると上方にわずかに押し上げられ、係止受け部２６にロック片１９が圧接される。そして、ロック片１９がストッパー部２６ａに当接して位置決めされる。これと同時に、カウンター１の他方の端部は浴槽３のエプロン３ａの側面に設けた受け部(図示せず)に当接する。この状態で、図４（ｂ）に示すように、カウンター１の右端部とステー部１１との間にロックスペーサ１３を嵌合させることで、カウンター１は第１壁面４に固定される。
なお、カウンター１を第１壁面４から取り外すには、カウンター１の凸曲部９ａを把持して上述の動作と逆の動作をすればよい。取り外した状態で、カウンター１を丸洗い洗浄等できる。
【００３２】
つぎに、上述したカウンター１をブラケット７に装着する動作について、図１１により詳細に説明する。図１１（ａ）において、カウンター１を第２壁面５と第１壁面４側に押し付けてブラケット７に降下させる際、カウンター１の奥側縁部１６を第１壁面４に押し付けて降下させる。降下の係り始めに際し、係合部１４はブラケット７の隆起部２７ｂを乗り越えて入口で第二係止溝２８とほぼ同一直線状に位置し、奥側縁部１６の背面部１６ｃの最も第１壁面４側に突出する当接部１６ｂは第１壁面４に接触する。
【００３３】
カウンター１を下方に降下させると当接部１６ｂで第１壁面４を擦過しながら、突起部１８が第一係止溝２５に押し込まれ、係合部１４が第二係止溝２８内にスライドして押し込まれる。カウンター１の下端部の突起部１８が第一係止溝２５に着座した時点で奥側縁部１６が停止し、係合部１４と第二係止溝２８の溝底との間にわずかな間隙が残る。この状態で、第１壁面４に当接部１６ｂの擦過による傷が残ったとしても、奥側縁部１６のスライド距離Ｌは当接部１６ｂから頂部までの高さＭより小さいので、傷はカウンター１の奥側縁部１６の背面側に隠れて入浴者等から見えない。
また、カウンター１を上述の動作と逆の手順で移動させることで取り外しができる。取り外したカウンター１は汚れやカビ等が付着していた場合でも丸洗い洗浄することができる。カウンター１は、カウンター１の天板８と底板９とが全周に亘って第一段付き部２０と第二段付き部２２とで接着剤２３によって固着されて水密性があり、しかも内部が中空であるため軽量である。そのため、カウンター１の着脱動作と洗浄作業が容易である。
【００３４】
上述したように、本第一実施形態によるカウンター１によれば、カウンター１の前側縁部１５の裏面側に凸曲部９ａを設けたため、カウンター１をブラケット７に対して着脱操作する際に裏面側に突出させた凸曲部９ａや前側縁部１５を把持してスライドさせたり持ち上げたりすることが容易である。その際、カウンター１の左右に浴槽３や第２壁面５等があっても邪魔にならない。
また、凸曲部９ａは、その長手方向に直交する断面視で前面側に凸曲面９ｂを、背面側に凹曲面９ｃを形成したため、例えば作業者の手の親指を凸曲面９ｂにあてて他の四本の指を凹曲面９ｃにあてることで凸曲部９ａを把持し易く滑りにくく、着脱のための操作が容易になる。
しかも、凸曲部９ａはカウンター１の前側部分の厚みを小さくすることがなく裏面側に突出させたためカウンター１の前側部分の強度を確保できる。更に、カウンター１は浴室Ｓの第１壁面４のブラケット７に装着した状態で凸曲部９ａを裏面側に設置したため目立たず美観を損ねない。
【００３５】
なお、本発明によるカウンター１は上述した実施形態に限定されるものではなく、本発明の趣旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００３６】
例えば、奥側縁部１６の当接部１６ｂは必ずしも段差部１６ａと奥側縁部１６の背面部１６ｃとの交差部でなくてもよい。例えばパーティングライン等が背面部１６ｃの高さ方向途中に形成されて最も第１壁面４側に突出する場合、この部分がカウンター１の着脱時に第１壁面４を擦過し得る当接部１６ｂとなる。
この場合でも、奥側縁部１６の当接部１６ｂから頂部までの高さＭが係り始めからのスライド距離Ｌより大きければ、第１壁面４に生じる傷は露出しない。
【００３７】
図１２は第一実施形態によるカウンター１の取付構造の変形例を示すものである。
図１２において、カウンター１の奥側縁部１６は係合部１４がブラケット７の第二係止溝２８内に嵌合した状態で、背面部１６ｃと第１壁面４との間にわずかな間隙ｔが形成されている。
そのため、本変形例では、カウンター１をブラケット７に着脱する場合、奥側縁部１６の係合部１４がブラケット７の第二係止溝２８に対する係り始めから第二係止溝２８内に嵌合するまでの間、第１壁面４に接触し擦過して傷をつけることを防止できる。
【００３８】
次に図１３（ａ）、（ｂ）は第一実施形態の変形例によるカウンター１Ａの裏面図を示している。図１３（ａ）に示す第一変形例において、カウンター１Ａの前側縁部１５の裏面側に、それぞれ湾曲して突出形成された凸曲部３３ａ、３３ｂが所定の隙間３２を開けて複数、例えば２つに分割して設置されている、これら凸曲部３３ａ、３３ｂは凸曲部９ａと同様に略Ｓ字状に沿って形成されている。本変形例による凸曲部３３ａ、３３ｂを作業者がそれぞれ把持することで、カウンター１Ａのスライド操作と着脱操作を容易に行える。
【００３９】
また、図１３（ｂ）に示す第二変形例はカウンター１Ｂの裏面図であり、カウンター１Ｂは平面視略長方形板状に形成されている。そして、その天板８の直線状をなす前側縁部１５に対向する裏面部には略直線状の凸曲部３４が下方に突出し連続して形成されている。本第二変形例においても凸曲部３４を作業者がそれぞれ把持することで、カウンター１Ｂのスライド操作と着脱操作を容易に行える。
なお、本第二変形例においても、凸曲部３４は所定の隙間を開けて１または複数に分割して形成されていてもよい。
また、第一、第二変形例による凸曲部３３ａ、３３ｂ、３４においても第一実施形態による凸曲部９ａと同様に断面視凸曲面９ｂと凹曲面９ｃによって形成されていてもよい。或いは、凸曲面９ｂや凹曲面９ｃに代えて垂直面や適宜の凹凸面形状等を採用してもよい。
【００４０】
また、図８に示すカウンター１の天板８と底板９の嵌合構造に関し、上述した構成に代えて、第一段付き部２０、第二段付き部２２として、互いに弾性変形して係合可能な爪部や爪受け部等を採用してもよく、両者の係合部に接着剤２３やシール材等を介在させることが好ましい。爪部と爪受け部の係合部に接着剤２３またはシール部材を介在させることで、全周に亘って水密にシールして結合し一体化できる。
なお、本発明においてブラケット７は支持部材に含まれる。また、第二係止溝２８は係止部に含まれる。
【符号の説明】
【００４１】
Ｓ  浴室
１  カウンター
３  浴槽
４  第１壁面
５  第２壁面
７  ブラケット
８  天板
８ａ  載置面
９  底板
９ａ，３３ａ、３３ｂ、３４  凸曲部
９ｂ  凸曲面
９ｃ  凹曲面
１４  係合部
１５  前側縁部
１６  奥側縁部
１６ａ  段差部
１６ｂ  当接部
１８  突起部
１９  ロック片
２０  第一段付き部
２１  外周面部
２２  第二段付き部
２３  接着剤
２４  外周面
２５  第一係止溝
２６  係止受け部
２８  第二係止溝
【図１】
2018051121.tif 000003
【図２】
2018051121.tif 000004
【図３】
2018051121.tif 000005
【図４】
2018051121.tif 000006
【図５】
2018051121.tif 000007
【図６】
2018051121.tif 000008
【図７】
2018051121.tif 000009
【図８】
2018051121.tif 000010
【図９】
2018051121.tif 000011
【図１０】
2018051121.tif 000012
【図１１】
2018051121.tif 000013
【図１２】
2018051121.tif 000014
【図１３】
2018051121.tif 000015